(57)【要約】【課題】  樹木根上近傍の土壌部分における雑草の生育を防止するため、樹木の根もと土壌への太陽光線を遮断する、簡便に適用可能な農業土壌覆いマルチシ−トを提供する。【解決手段】  材料ピ−ス４として樹木２の根部近傍の土壌を覆う。その層構造については、メタライジングフィルム層あるいは不透明顔料練込みフィルム層、および不織布層が接合されている構造とする。材料ピ−ス４の形状は、平面状としたときに辺端部から中央部への切れ目１５を有し、前記切れ目を利用して樹木の根近傍の幹部２に、まとい端部７の如く巻付けて固定し、辺端部８は係止具９で土壌に係止する。  簡便に敷設でき、遮光性を高くしているので、樹木根上近傍の土壌に雑草の生育がなく、この部分の下刈りが不要になる。【選択図】            図  １
0003110087.tif 000002
【実用新案登録請求の範囲】
【請求項１】
樹木の根部近傍の土壌覆い用農業マルチシ−トにおいて、
前記農業マルチシ−ト材料の層構造は、前記層構造中にメタライジングフィルム層あるいは不透明顔料練込みフィルム層、および不織布層が接合されていて、
前記農業マルチシ−ト材料の前記樹木への適用形態は、前記農業マルチシ−ト材料による材料ピ−スの形態であって、
前記材料ピ−スは、前記樹木の根近傍の幹部に巻付けて前記樹木に固定するための切れ目を有し、
前記材料ピ−スの前記切れ目の方向は、前記材料ピ−スの任意の辺端部から、前記材料ピ−スの中央部に向っていて、前記切れ目の長さは、前記材料ピ−スの端辺長さの１／２以上、あるいは前記材料ピ−スの平均径の長さの１／２以上であることを特徴とする、
樹木根上の土壌覆い用農業マルチシ−ト。
【請求項２】
前記農業マルチシ−ト材料において、前記材料ピ−スとして樹木への適用時に、不織布層が裏側になる側、あるいは不織布が表側になる側、あるいは不織布が表裏両側に、接合されていることを特徴とする、
請求項１に記載する、樹木根上の土壌覆い用農業マルチシ−ト。
【請求項３】
前記農業マルチシ−ト材料の前記層構造において、これを貫通する微小穿孔群を有することを特徴とする、
請求項１、および２に記載する、樹木根上の土壌覆い用農業マルチシ−ト。
【考案の詳細な説明】
【技術分野】
【０００１】  本考案は、農土を覆って使用する農業用シ−トに係わり、主として樹木向け分野に関する考案である。
【背景技術】
【０００２】  従来より、農土などの土壌を覆って使用する農業用マルチシ−トがある。
前記農業用シ−トのうち、農作物畑、果実樹畑、あるいは林業地などにおいて、雨水を適度にカットすることによる土壌水分の適正化、太陽光線を上部に反射させて栽培植物の光合成を助け、下部土壌においては太陽光線を遮断して雑草の生育を防ぐなど、多目的の農業用マルチシ−トがある。【０００３】  次に、農土などの土壌を覆って使用する農業用シ−ト関連の文献の例を示す。
【特許文献１】特開平６−２０９６４５
【特許文献２】実用新案登録３０７８７０２
【特許文献３】実用新案登録３０８６６８８
なお、引用文献からの引用文、及びその説明は、前記引用文の表現をそのまま用いるものとする。【０００４】  「特許文献１」は、葱畑において、ある程度成長した葱の少なくとも株元の部分を、遮光性のシ−トで覆って光を当てないように栽培し、白葱を得る栽培法、ならびに断熱シ−トの開示である。
すなわち「特許文献１」には、断熱シ−トの構造として段落番号「００１１」に、「・・・光反射面を有する遮光性の断熱シ−トである。即ち、実質的に光を通さず、且つ少なくとも一方の面が光を反射するようになっているものである。このようなものとしては、例えば、気泡緩衝シ−ト７の少なくとも一部をアルミニウム蒸着フィルムやアルミニウム粉末を練り込んだフィルムとしたものや、これらのフィルムを気泡緩衝シ−トに貼り合わせたもの等が用いられる」、と開示されている。【０００５】  「特許文献２」は、本考案者による考案で、登録されている実用新案である。
「特許文献２」は、鏡面反射面を有する農業土壌覆いマルチシ−トに関する開示であり、鏡面反射特有の人の視覚に不快なぎらぎら光るグラリング（ｇｌａｒｉｎｇ）欠陥なしに、太陽光線を上部に反射して植物の光合成を促進し、果実植物の場合には、前記果実の下部の着色を促進するという内容である。
すなわち、「特許文献２」の、段落番号「００１４」に、「・・・該箔状金属側に鏡面反射を和らげるための布状繊維集合体が接合されている・・・」、と開示されている。【０００６】  また、「特許文献２」の、段落番号「０００２」に、「従来の土壌覆いシ−トは合成樹脂フィルムを用いたもの、織物や不織布を用いたもの、あるいはその両者を合体したものに大別できる」、と開示されている。
また、「特許文献２」の、段落番号「０００７」に、［これらシ−トに太陽光線を積極的に反射させるために、アルミ箔などの鏡面反射材を外層に貼付したシ−トがある」、と開示されている。
また、段落番号「００１４」に、「・・・合成樹脂フィルムに鏡面箔状金属が接合されていて、かつ微小穿孔群を有し・・・」、と開示され、前記微小穿孔群について、段落番号「００１５」に、「穿孔形状が縫い目様穿孔形であって、・・」、と開示されている。【０００７】  また、「特許文献２」において、段落番号「０００９」には、「農土への雨水の適度な抑制と太陽光線の上方反射によって、光合成を助け糖度等を向上させる」と開示されている。
また、シ−ト下部の土壌に対しては、同じく、段落番号「０００９」に、「遮光することで陽光を遮断しシ−ト下の雑草の生育を阻止する。農土から炭酸ガスなどの気散、農土の蒸れを防止することによる樹勢を増進させる」、と開示されている。【０００８】  「特許文献３」は、本考案者による考案で、登録されている実用新案である。
「特許文献３」は、「特許文献２」と同様に鏡面反射特有の人の視覚に不快なぎらぎら光るグラリング（ｇｌａｒｉｎｇ）欠陥なしに、太陽光線を上部に反射させる開示であるが、「特許文献２」の構造が、裏側が露出した場合に鏡面反射する問題点があり、改良構造の開示である。
すなわち、「特許文献３」の、「請求項１」に、「断面において鏡面のメタライジング・フィルム層の表と裏の両面に各接合層を介して各布状繊維集合体層を有し、・・・」、と開示されている。
【考案の開示】
【考案が解決しようとする課題】
【０００９】  林業地の樹木、果実畑の樹木などでは、下刈りと称して、樹木の根もとや、まわりの雑草を刈り取る作業が、樹木の樹勢の維持のために欠かせない作業となってる。
近年では、下刈り作業はエンジン回転式刃式などの下刈り機の使用が一般化している。
下刈り機は、樹木から離れた樹木外周や、樹木間の平坦部においては問題なく下刈りが可能である。【００１０】  しかしながら、樹木の根もとは、地上に露出している根や、根上の土壌に凹凸があり、これらの形状や位置が雑草に隠れて目視し難い。
したがって、下刈り機で下刈り作業中に、樹木の根を損傷してしまい、かえって樹勢を損なうことになりかねない。
また、多くの下刈り機は回転刃タイプで、回転刃が高速回転しているので、硬い根や土壌の凸部、石などに当たると、刃欠けに伴って破損刃の破片が飛び、極めて危険である。【００１１】  かようなことから、樹木の根もとの部分については人力で下刈りする方法などが行われている。
また、雑草を枯らす薬剤使用などが行われているが、環境や人畜に無害とはいえず、自然分解するために環境負荷が生じる恐れがある。
また、樹木の根もとの雑草の生育を防ぐのに、下部土壌に至る太陽光線を遮断する目的で、農業土壌覆いシ−トを使用しようとする場合、樹木の根もとにおいては、樹木の露出根部と近傍土壌が複雑な立体形状であるため、平坦地用に適する長尺ものである農業土壌覆いシ−トの適用は、そのままの形態では困難である。
樹木の根もと部の下刈りを必要としないようにするため、樹木下部土壌に至る太陽光線を遮断して雑草の生育を阻止するための、樹木の根もとに適用可能な農業土壌覆いシ−トの提供が果樹農業者や林業者などに望まれている。【００１２】  本考案は、上記従来の課題を考慮して、樹木下部土壌に至る太陽光線を遮断して雑草の生育を防ぐため、遮光性が高く、且つ樹木の根もとに簡便に適用可能な、農業土壌覆いシ−トを提供することを目的とする。
【課題を解決するための手段】
【００１３】  農土を覆って使用する農業マルチシ−トの使用目的は、次に記す如くである。
すなわち、（Ａ）下部土壌に至る太陽光線を遮断して雑草の生育を防ぐこと。（Ｂ）雨水を適度にカットし、土壌水分を適度な状態に保つこと。（Ｃ）太陽光線を上部に反射させて栽培植物の光合成を助け、果物などについては着色を均一化すること、などである。
前記（Ａ）に記す目的の農業マルチシ−トについては、遮光性を高く、つまり可視光線透過率を極めて低くすることで、下部の雑草は全く生育しなくなる。【００１４】  考案者は、鋭意検討の結果、遮光性の高い農業マルチシ−ト材料を使用して、その形状と樹木の根部への取り付け構造について鋭意検討を加えた結果、下記の考案に至ったものである。
すなわち、図１に示す樹木の根部近傍の土壌を覆う農業マルチシ−ト材料による材料ピ−ス４において、前記農業マルチシ−ト材料の層構造について、前記層構造にメタライジングフィルム層あるいは不透明顔料練込みフィルム層、および不織布層が接合されている構造である。
前記農業マルチシ−ト材料の前記樹木への使用形態は、図３に示す前記農業マルチシ−ト材料による材料ピ−ス４の如き形態であって、前記材料ピ−スには、前記樹木の根近傍の幹部２に巻付けて前記樹木に固定するための切れ目１５を有し、前記材料ピ−スの切れ目１５の切れ目の方向は、図３に示す如く材料ピ−ス４の任意の辺端部８から、前記材料ピ−ス４の中央部１４に向っていて、切れ目１５の長さは、材料ピ−スの端辺の大凡１／２程度以上、あるいは平均径の長さの大凡１／２程度以上の長さであることを特徴とする、樹木根上の土壌覆い用農業マルチシ−トの考案に至った。【００１５】  また、前記農業マルチシ−ト材料において、前記材料ピ−スとして樹木への適用時に、図４に示す如く不織布層が裏側になる側に接合、あるいは図５に示す如く不織布層が表側になる側に接合、あるいは図６に示す如く不織布層が両側に接合されていることを特徴とする、樹木根上の土壌覆い用農業マルチシ−トの考案である。
また、前記農業マルチシ−ト材料の層構造において、これを貫通する微小穿孔群を有することを特徴とする、木根上の土壌覆い用農業マルチシ−トの考案である。
【考案の効果】
【００１６】（１）  遮光性を高く、すなわち可視光線透過率を極めて小さくしているので、樹木根上の土壌に雑草の生育がなく、この部分の下刈りが不要になる。
（２）  農業マルチシ−トを材料ピ−スものとし、樹木の根もと近傍の幹部の太さに応じた材料ピ−スのサイズとし、前記材料ピ−スの端部から中央部に向かって、切れ目を入れ、この切れ目を利用して樹木の根もと近傍の幹部に巻き付け（まとい端部と称す）、あたかもワイシャツの衿締めの如く固定して、前記材料ピ−スの辺端部はその縁部を前記樹木の根部近傍の土壌に適宜固定して安定化する構造であるので、露出根の有無、土壌形状などにかかわらず、樹木の根もとに安定した状態で簡単に固定できる。
（３）  副次的に、雨水を適度に抑制することで樹木の根が丈夫になり、また、太陽光線を上部に反射させて光合成を助けるので樹勢が増す。
（４）  使用する前記農業マルチシ−ト材料に微小穿孔群を設けた場合、農業マルチシ−ト下部土壌部の空気と、外気との空気交換が増し、土壌水分状態が良好になるので、嫌気性の細菌などによる腐敗や悪臭発生が低減する
（５）  除草剤などの薬剤使用に対して、環境負荷がない。また、材料や敷設などの費用が低く、経済的である。
【考案を実施するための最良の形態】
【００１７】  考案の実施の形態について図面を参照して説明する。
図２は、下刈り済みの樹木の下部の斜視略図で、本考案の樹木根上の土壌覆い農業マルチシ−トの適用前を描いている。
図２において、土壌に根ざした樹木の根１に支えられた樹木の幹２を描いている。
また、雑草群３は、下刈り済みの状態を示している。
図１は、本考案の樹木根上の土壌覆い用農業マルチシ−トの適用例の斜視略図である。
本考案の樹木根上の土壌覆い用農業マルチシ−ト材料による材料ピ−ス４が、樹木２周辺の樹木根上の土壌５の上を覆っている。【００１８】  図１において、前記農業マルチシ−ト材料による材料ピ−ス４は、あたかも理髪のときに被理髪者が羽織るダスト防御布の如く、図３に示す材料ピ−ス４の切れ目１５を利用して、図１に描くように、まとい端部７として巻き付けられて、締結具６によって樹木の下部の幹２に固定されている。
また、前記農業マルチシ−ト材料による材料ピ−ス４のすそ野に当たる辺端部８は、ペグなどの係止具９によって、土壌に係止されている。
前記締結具あるいは締結法は、スナップボタン形、はとめ（アイレット）利用の紐によるもの、面状ファスナ、弾性あるいは非弾性紐による幹への鉢巻形締結など、従来から知られている締結具、および方法による。
土壌への前記係止具あるいは係止法は、ペグのほか、紐張り、埋込み式など、従来から知られている係止具または方法による。
このように、遮光性が高く、可視光線透過が殆どない前記農業マルチシ−ト材料による前記材料ピ−スによって樹木根上の土壌が覆われていると、この部分の雑草は炭酸同化作用ができないので生育できない。【００１９】  図３は、本考案の樹木根上の土壌覆い農業マルチシ−ト材料による材料ピ−ス４の一例の平面略図である。
なお、通常のマルチシ−トは長尺ものなので、使用時に必要に応じて適宜カットして用いるのに対し、本考案の樹木根上の土壌覆い農業マルチシ−ト材料による前記材料ピ−スは、製造時に予め裁断してピ−ス（ｐｉｅｃｅ；片）としてあるゆえ、樹木への適用時の形状で表現する場合には材料ピ−スと称する。
前記農業マルチシ−ト材料による前記材料ピ−スは、図３に示す如く、材料ピ−ス４が例えば略正方形の四角形の場合、一辺の真ん中部分から前記四角形の中央部１４に向かう切れ目１５が入っている。【００２０】  図３において、図１に描くまとい端部７となる部分は、材料ピ−ス４の中央部１４を通る切れ目１５の、前記中央部寄りの切れ目部分１６である。
したがって、図３における農業マルチシ−ト材料による材料ピ−ス４が、図１に描くように樹木に適用された場合、材料ピ−ス４の中央部１４に樹木の幹２の中心が位置するように、樹木の幹２の径を勘案して、切れ目１５の長さを前記辺端部から中央部１４までの長さよりやや長くする。
なお、図３においては、材料ピ−ス４の辺端部８の真ん中部分から、中央部１４に向かって前記辺端部に対して直角に前記切れ目が入っているが、例えば、角部から前記中央部に向かっていてもよく、要は前記切れ目は任意の辺端部から中央に向かっていればよい。【００２１】  図３における前記農業マルチシ−ト材料による材料ピ−ス４の平面形状は四角形であるが、例えば三角形、楕円形などの四角形以外の形状でもよい。
しかしながら、前記材料ピ−スの工業的な加工は、前記農業マルチシ−ト材料の長尺ものから裁断するので、楕円形などの平面形状は裁断ロスの面からその形状の必要性が高い場合のみに採用すべきである。【００２２】  前記農業マルチシ−ト材料による前記材料ピ−スの大きさは、略正方形の場合、標準材料ピ−スのサイズとしては、一辺が大凡１ｍ程度で、前記切れ目の長さは、前記略正方形の中心部を越える程度であるが、この中心部を越える程度は、適用する樹木の幹の太さによって勘案して定める。
前記切れ目の長さの目安は、前記材料ピ−スの端辺長さの大凡１／２程度以上、あるいは辺長が存在しない楕円形などの場合は、前記材料ピ−スの平均径の長さの大凡１／２以上程度がその目安である。
要は、図１に示すように適用する樹木の幹が、適用時に前記材料ピ−スの大凡中央部に位置するように定めることである。【００２３】  不織布の特徴の一つは、カット端がほつれないことである。
本考案の樹木根上の土壌覆い用農業マルチシ−トの切れ目の端部は、前記農業マルチシ−トの層中に不織布が接合されているので、編物布や織物布の如くカット端がほつれるとか、カ−ルが発生するなどの懸念がなく、カットのみで使用できる。
つまり、材料ピ−スへの加工のときの裁断、切込み加工ともに、単にカットするだけなので、前記材料ピ−スへの加工が簡単である。
また、現場などで前記切れ目の長さを長くする必要がある場合、鋏などで切込みを入れるだけでよい。【００２４】  果樹、街路樹、あるいは公園などの樹木は、土寄せや施肥などの手入れを十分に実施するので、図２に描く樹木の根１ほどには土壌上に露出してない場合が多く、また土壌の凹凸なども少ない。
したがって、前記材料ピ−スのサイズは、辺長１ｍの略正方形のサイズの前記標準材料を用意しておけば、ほとんどの場合カバ−できる。
しかしながら、山地などの樹木の生えている地形によっては、根が大きく露出していたり、根上の土壌に凹凸がある面積が大きい場合などでは、前記標準材料のサイズより適宜大きなサイズとする。
また、小樹木の場合や露出根が殆ど見られない場合には、むしろ樹木の根近傍の幹部を下刈り機の刃で傷を付けないようにすることが主目的になるので、前記標準材料のサイズより適宜小さなサイズでもよい【００２５】  図４は、本考案の樹木根上の土壌覆い農業マルチシ−ト材料の一例の断面略図で、材料ピ−スとして樹木に適用する場合の表面を上部として描いている。
図４において、図における上部から、メタライジングフィルムのベ−ス樹脂層２０、メタライジングフィルムの鏡面箔状金属層２１、前記メタライジングフィルム層と不織布層２４との接合層２２、不織布層２４である。
樹木に適用の前記材料ピ−スにおいて、裏面は不織布面２５、表面は鏡面反射面２６で、表面が鏡面反射面してもよい場合に適用する。【００２６】  図５は、図における上部から、不織布層２４、メタライジングフィルムの鏡面箔状金属層２１、前記メタライジングフィルム層と不織布層２４との接合層２２、メタライジングフィルムのベ−ス樹脂層２０で、表面は不織布面３１、裏面は前記メタライジンフィルム面３０で鏡面反射面である。
図４に示す層構造が、表面が前記メタライジンフィルム面で鏡面反射面であるのに対し、図５に示す層構造は、表面が不織布層である。
樹木に適用の前記材料ピ−スにおいて、表面が鏡面反射面しない方がよい場合に適用する。【００２７】  図６は、図における上部から、不織布層２４、前記メタライジングフィルム層と不織布層２４との接合層２２、メタライジングフィルムの鏡面箔状金属層２１、メタライジングフィルムのベ−ス樹脂層２０で、さらに裏面接合層３３、裏面不織布層３６の積層構造である。
つまり、樹木に適用の前記材料ピ−スにおいて、表面不織布面３１、および裏面不織布面３７の両面が不織布面の場合の例である。
図５に示す層構造の場合には、樹木に適用中に部分的に破れるなど裏面が露出した場合に、その部分がぎらぎら光るグラリング欠陥となるので、図６に示す層構造の場合は、かような場合でもその部分のぎらぎら光るグラリング欠陥を和らげるため、表裏面とも鏡面反射面がない層構造としたものである。【００２８】  しかしながら、本考案の樹木根上の土壌覆い用農業マルチシ−トにおける前記農業マルチシ−ト材料は、層構造中のどこかに、メタライジングフィルム層あるいは不透明顔料練込みフィルム層、すなわち遮光フィルム層と不織布層が接合されていていればよく、本考案が図４、図５、あるいは図６に示す構造に限定されるものではない。
また、前記層中に前記遮光フィルム層、および不織布層の二つの層以外の、例えば補強シ−ト層などが加わっていても何ら差し支えない。【００２９】  供給されているメタライジングフィルムは、ベ−スのＰＥＴ（ポリエステル）樹脂フィルムにアルミニウムなどの金属を真空蒸着などして得られたタライジングフィルムである。
メタライジングフィルムのベ−ス樹脂層２０は、鏡面箔状金属面を保護する機能で、ＰＥＴ樹脂が一般的であるが、Ｎｙ（ナイロン）樹脂、ＰＶＣ（塩化ビニル）樹脂、ＰＬＡ（ポリ乳酸）樹脂など、当業者に知られている樹脂を任意に用いることができる。【００３０】  前記メタライジングフィルムは、真空蒸着、メッキ、あるいはスパッタリングなどによる方法で作られる。
透明樹脂フィルムやシ−トに、別に用意した鏡面金属箔を接合したものでも、勿論適用でき、本考案ではこれもメタライジングフィルムと称する。
しかしながら、コストなどの面から、真空状着アルミニウムなど、メタライジングフィルムを用いるのが一般的である。【００３１】  前記農業マルチシ−ト材料全体の強度は、接合層２２、不織布層２４などによって補強されるゆえ、前記ベ−ス脂層と前記鏡面箔状金属層との両者の一体フィルムであるメタライジングフィルムの厚さは薄くてもよく、可視光線透過が殆どなければよい。
考案者の実験によれば、メタライジングフィルム層は、可視光線透過率で大凡０．２％程度以上となる量でよく、前記可視光線透過率０．２％は、昼間の外の景色を透かして目視して、前記景色が何とか見えるほどの僅かな金属の量である。
したがって、前記透明樹脂層と前記鏡面箔状金属層との両者一体フィルムであるメタライジングフィルムの全体の厚さは、大凡２０μｍ程度以上でよく、うち鏡面箔状金属層の厚さは大凡０．１μｍ程度以上の厚さで、雑草を生育させないための十分な遮光機能を果たすことが分かった。【００３２】  また、メタライジングフィルムに代えて、遮光性を得るフィルム材料としてアルミニウム微粉末、カ−ボン微粉末などの不透明顔料の練込みフィルムによってもよい。
要は、かかる場合を含めて前記層中に可視光線透過が殆どないフィルムが含まれていればよいのであって、前記農業マルチシ−ト材料としての可視光線透過率の目安は、大凡１％以下程度の値が得られる不透明材料であれば、前記農業マルチシ−ト材料下の土壌に雑草の生育がないことが分かった。【００３３】  前記接合樹脂層の樹脂は、ＰＥ（ポリエチレン）樹脂が一般的であるが、ＰＰ（ポリプロピレン）樹脂、ＰＶＣ樹脂、ＰＥＴ樹脂、Ｎｙ樹脂、あるいはＰＬＡ樹脂など、当業者に知られている樹脂を任意に用いることができる。【００３４】  前記不織布層を構成する繊維は、ＰＥＴ繊維が一般的であるが、ＰＰ繊維、ＰＥ繊維、Ｎｙ繊維、ＰＡＮ（ポリアクリロニトリル）繊維、ビニロン繊維、セルロ−ス繊維など、当業者に知られている繊維を任意に用いることができる。
前記不織布の色相は生地色でもよいが、実質的に黒色などの低明度の色相であれば遮光性を上げる方向ゆえさらによい。
不織布形態を維持するための繊維集合体の結合様式は、構成繊維自身の絡みによるもの、構成繊維の部分溶融によるもの、バインダ樹脂によるものなどが適用できるが、不織布は大部分が繊維集合体であるものを指す。【００３５】  不織布は、紡糸と同時に布状化するスパンボンド法不織布、フラッシュ紡糸不織布、あるいはニ−ドルパンチ不織布や抄紙法不織布など、当業者に知られている不織布を任意に用いることができる。
前記不織布を構成する繊維の繊度は、大凡０．１〜２５  ｄｔｅｘ（デシテックス）程度まで広範囲に適用でき、単位面積当たりの質量は、大凡２０ｇ／ｍ２程度以上でよい。【００３６】  以上説明の各部材による、図４、図５、ならびに図６に例示する前記農業マルチシ−ト材料への接合加工法は、例えば、ＴダイでＰＥ樹脂などを溶融押出しした膜状溶融樹脂を、アルミニウム蒸着ＰＥＴフィルムと、不織布とで、前記膜状溶融樹脂が固化しないうちに夾み、圧着して得られる溶融押出しラミネ−ト法が一般的である。
しかしながら、当業者に知られている他の接合加工法を任意に用いることができる。【００３７】  ところで、本考案の樹木根上の土壌覆い農業マルチシ−ト材料に、その表裏を貫通する微細穿孔群を設けてもよい。
すなわち、図４、図５、ならびに図６に例示する前記農業マルチシ−ト材料に、微小穿孔群を設けて、土壌側の空気と外気との交換などを行わせる目的のためである。【００３８】  前記農業マルチシ−ト材料の下部土壌に含まれる空気と外気との交換を、微細穿孔群によって行わせることによって、晴天時などには、これに伴う乾燥効果で微生物の生育を防止し、特に嫌気性の微生物の発生を抑制し、カビ発生や腐敗を防ぐ効果がある。【００３９】  微小穿孔群は、樹脂フィルム、紙類などに適用されているボンチ（ｐｕｎｃｈ）や錐（ａｗｌ）など、また、熱溶融性材料にあっては加熱ピンなどで孔を穿つ方法などがある。
この方法の穿孔の特徴は、穿った孔部分の材料を欠く穿孔であり、切手シ−トの切り離し用穿孔列の如く、空き放しの孔で、いわば「切手シ−ト様穿孔形」である。
前記農業マルチシ−ト材料に適用する、微小穿孔群はこのような切手シ−ト様穿孔形でも前記農業マルチシ−ト材料に適用できる。【００４０】  図７は、連続させると縫い目のように見えるところから、「縫い目様穿孔形」とも、「切込み穿孔形」とも呼称する穿孔による、微細穿孔群の一個を示す拡大斜視略図であり、「特許文献３」にも示されている本考案者による考案である。
前記切込み穿孔形の穿孔形の特徴は、穿った孔の部分の材料に切込みを入れるだけで、穿った孔の部分の材料を欠かない穿孔形である。
図７において、切込み部４１の穿孔周辺が、回転式ドアの扉の如く、表裏の圧力差などに応じて、前記扉に当たる弁４２〜４５が開閉するようになっていて、開いていない場合には単に切込みがあるだけの状態である。【００４１】  前記切込み穿孔形の穿孔には、逆止弁の如き作用がある。図７において上部つまり、矢印４６方向からの圧力がかかると、切込み穿孔形の穿孔は閉じる傾向になり、下部つまり、矢印４７方向からの圧力がかかると、切込み穿孔形の穿孔は開く傾向になる。
したがって、本考案の樹木根上の土壌覆い農業マルチシ−ト材料に切込み穿孔形の微細穿孔群を設けると、図７において上側を表側にして敷設すれば、降雨時には雨滴の落下圧力で、弁４２〜４５が閉じ傾向で、雨水が下側に至るのを抑制する。
また、降雨後などには土壌温度の上昇などに伴って、下部の圧力が増し弁４２〜４５が上側に開き、空気の交換が容易に行われて、敷設した材料ピ−スの下面の土壌の乾燥が促進される。
かような、逆止弁的な作用も加わる、前記切込み穿孔形の微細穿孔群を設けることによって、本考案の樹木根上の土壌覆い農業マルチシ−ト材料を適用すれば、耐久性などをさらに向上させることができる。【００４２】  本考案の樹木根上の土壌覆い農業マルチシ−ト材料に適用する、前記農業マルチシ−ト材料に微小穿孔群を設ける場合の穿孔密度の目安は、穿孔形にかかわらず１個の長手方向の切込み長、あるいは孔径を０．４５ｍｍとした場合、大凡５０，０００個／ｍ２程度で、その穿孔率Ｓは、大凡０．３％程度である。
ここに、穿孔率Ｓとは、Ｓ＝（Ｄ×ａ／Ａ）×１００（％）で示される値で、Ｄは穿孔密度（個／ｍ２）、ａは穿孔１個の穿孔面積（ｍ２）、Ａは穿孔材料の単位面積（ｍ２）である。
【産業上の利用可能性】
【００４３】  本考案の樹木根上の土壌覆い農業マルチシ−トは、前記材料ピ−スを樹木の根部近傍の幹部と土壌に固定して安定化する構造であるので、敷設に手間がかからず、敷設によって下刈り作業の必要がなくなり、果樹業や林業の作業の手間が軽減できる。
また、前記材料ピ−スは安価で、敷設が極めて簡単であり、果樹や林業樹木などに適用した場合に、樹木の根もと近傍の下刈り機による作業が必要なくなるので、樹木の根部を損傷せず、樹勢を維持できる。
また、遮光性が高いので、前記農業マルチシ−トの下部には雑草の生育は全くない。
さらに、副次的には、雨水を適度にカットすることで、樹木の根が丈夫になり、また、太陽光線を上部に反射させて光合成を助けるので樹勢が増す。【００４４】  また、前記農業マルチシ−ト材料に微小穿孔群を設けた場合、これを敷設した前記農業マルチシ−ト材料の下部土壌と、外気との空気交換が増し、乾燥状態が良好になるので、嫌気性の細菌などによる腐敗や悪臭発生が低減する
また、雑草の生育阻止に薬剤を使用する場合に対して環境負荷が全くない。
したがって、農林分野の産業発展に資する影響が大きい。
【図面の簡単な説明】
【００４５】
【図１】  樹木根上の土壌覆い農業マルチシ−トの実施例斜視略図
【図２】  下刈り済みの樹木の下部の斜視略図
【図３】  樹木根上の土壌覆い用農業マルチシ−ト材料による材料ピ−スの一例の平面略図
【図４】  表面が鏡面反射面の樹木根上の土壌覆い用農業マルチシ−ト材料の断面略図
【図５】  表面が不織布面の樹木根上の土壌覆い用農業マルチシ−ト材料の断面略図
【図６】  表裏面とも不織布面の樹木根上の土壌覆い用農業マルチシ−ト材料の断面略図
【図７】  微小穿孔群における切込み穿孔形の１個の拡大斜視略図
【符号の説明】
【００４６】  １  樹木の根
２  樹木の幹
３  下刈り済みの雑草群
４  樹木根上の土壌覆い用農業マルチシ−ト材料による材料ピ−ス
５  樹木根上の土壌
６  締結具
７  まとい端部
８  材料ピ−スの辺端部
９  係止具
１４  材料ピ−スの中央部
１５  材料ピ−スの切れ目
１６  樹木の幹へのまとい端部となる材料ピ−スの切れ目部分
２０  メタライジングフィルムのベ−ス樹脂層
２１  メタライジングフィルムの鏡面箔状金属層
２２  接合層
２４  不織布層
２５  裏面不織布面
２６  表面メラライジングフィルム面
３０  裏面メラライジングフィルム面
３１  表面不織布面
３３  裏面接合層
３６  裏面不織布層
３７  裏面不織布面
４１  弁の端縁部
４２〜４５  弁
４６  矢印；閉じ方向の圧力方向
４７  矢印；開き方向の圧力方向
【図１】
0003110087.tif 000003
【図２】
0003110087.tif 000004
【図３】
0003110087.tif 000005
【図４】
0003110087.tif 000006
【図５】
0003110087.tif 000007
【図６】
0003110087.tif 000008
【図７】
0003110087.tif 000009